(57)【要約】【課題】十分なスクリーン貼り付け強度を備え、薄型化可能なＬＣＤ固定構造及びこれを用いた筐体構造、携帯端末を提供する。【解決手段】略中央に固定面２を備えた断面視クランク形状で枠状のフロントパーツ１と、周縁部と底面部とからなる略皿状であり、フロントパーツ１に前面から収めた際に、周縁部の後面がフロントパーツ１の固定面２に当接するフロントパネル３と、フロントパネル３の収納対象の一つである導光板７及び光学シート８と略同一形状の第１の枠をフロントパネル３の底面部の前面に、フロントパネル３の他の収納対象であり導光板７の前面に配置されるＬＣＤ９と略同一形状の第２の枠を第１の枠の前面にそれぞれ形成し白色を呈するＬＣＤフレーム６と、ＬＣＤフレーム６の第２の枠を構成する部分の天面５に貼付されたスクリーン１０とを有する。【選択図】図１
2009103966.tif 000002
【特許請求の範囲】
【請求項１】
略中央に固定面を備えた断面視クランク形状で枠状のフロントパーツと、
周縁部と底面部とからなる略皿状であり、前記フロントパーツに前面から収めた際に、前記周縁部の後面が前記フロントパーツの前記固定面に当接するフロントパネルと、
前記フロントパネルの収納対象の一つである導光板及び光学シートと略同一形状の第１の枠を前記フロントパネルの底面部の前面に、前記フロントパネルの他の収納対象であり前記導光板の前面に配置されるＬＣＤと略同一形状の第２の枠を前記第１の枠の前面にそれぞれ形成し白色を呈するＬＣＤフレームと、
前記ＬＣＤフレームの前記第２の枠を構成する部分の前面に貼付されたスクリーンとを有するＬＣＤ固定構造。
【請求項２】
前記ＬＣＤフレームは、前記第１の枠を構成する部分と前記第２の枠を構成する部分との段差が、前記ＬＣＤの周縁部分の厚さと略同一であることを特徴とする請求項１又は２記載のＬＣＤ固定構造。
【請求項３】
前記ＬＣＤフレームが白色の樹脂で形成されたことを特徴とする請求項１又は２記載のＬＣＤ固定構造。
【請求項４】
前記ＬＣＤフレームが、前記フロントパネルに一体成形されたことを特徴とする請求項３記載のＬＣＤ固定構造。
【請求項５】
前記ＬＣＤフレームが、前記フロントパネルにインサート成形されたことを特徴とする請求項４記載のＬＣＤ固定構造。
【請求項６】
前記ＬＣＤフレームが、前記フロントパネルにアウトサート成形されたことを特徴とする請求項４記載のＬＣＤ固定構造。
【請求項７】
前記ＬＣＤフレームが、前記フロントパネルをなす部材の一部を白色に着色することによって形成されたことを特徴とする請求項１又は２記載のＬＣＤ固定構造。
【請求項８】
請求項１から７のいずれか１項記載のＬＣＤ固定構造を用いた筐体構造であって、前記フロントパーツと前記フロントパネルとを接合したフロントケースの後面にリヤカバーを嵌合させたことを特徴とする筐体構造。
【請求項９】
請求項８記載の筐体構造を採用した携帯端末。
【発明の詳細な説明】
【技術分野】
【０００１】
本発明は、ＬＣＤを固定するためのＬＣＤ固定構造及びその構造を採用した筐体並びに携帯端末に関する。
【背景技術】
【０００２】
ＬＣＤの固定構造としては、特許文献１に開示される発明のように、ＬＣＤフレームの外周リブ上にフロントケースのスクリーン貼り付け部分が位置する構成が用いられてきた。
【０００３】
近年、ＬＣＤを搭載する機器（例えば携帯電話端末）には薄型化が求められている。上記のようなＬＣＤ固定構造で薄型化を図る場合には、フロントケースのスクリーン貼り付け面とＬＣＤフレームの外周リブとを平面方向で並べる必要がある。
【０００４】
このようにして薄型化を図った装置では、フロントケースのスクリーン貼り付け面とＬＣＤフレームとを重ねて実装できないため、表示部の狭額縁化を実現するためには、スクリーン貼り付け面の幅を小さくしなければならない。
【０００５】
これにより、十分なスクリーン貼り付け強度を確保できず、落下衝撃でのスクリーンの剥がれ、浮きを起因としてＬＣＤの破損が発生してしまう。
【特許文献１】特開２００２−３４１３４８号公報
【発明の開示】
【発明が解決しようとする課題】
【０００６】
このように、引用文献１に開示される発明には、薄型化を図った場合には十分なスクリーン貼り付け強度を確保できず、落下衝撃でのスクリーンの剥がれ、浮きを起因としてＬＣＤの破損が発生してしまうという問題があった。
【０００７】
本発明は係る問題に鑑みてなされたものであり、十分なスクリーン貼り付け強度を備え、薄型化可能なＬＣＤ固定構造及びこれを用いた筐体構造、携帯端末を提供することを目的とする。
【課題を解決するための手段】
【０００８】
上記目的を達成するため、本発明は、第１の態様として、略中央に固定面を備えた断面視クランク形状で枠状のフロントパーツと、周縁部と底面部とからなる略皿状であり、フロントパーツに前面から収めた際に、周縁部の後面がフロントパーツの固定面に当接するフロントパネルと、フロントパネルの収納対象の一つである導光板及び光学シートと略同一形状の第１の枠をフロントパネルの底面部の前面に、フロントパネルの他の収納対象であり導光板の前面に配置されるＬＣＤと略同一形状の第２の枠を第１の枠の前面にそれぞれ形成し白色を呈するＬＣＤフレームと、ＬＣＤフレームの第２の枠を構成する部分の前面に貼付されたスクリーンとを有するＬＣＤ固定構造を提供するものである。
【０００９】
また、上記目的を達成するため、本発明は、第２の態様として、上記本発明の第１の態様に係るＬＣＤ固定構造を用いた筐体構造であって、フロントパーツとフロントパネルとを接合したフロントケースの後面にリヤカバーを嵌合させたことを特徴とする筐体構造を提供するものである。
【００１０】
また、上記目的を達成するため、本発明は、第３の態様として、上記本発明の第２の態様に係る筐体構造を採用した携帯端末を提供するものである。
【発明の効果】
【００１１】
本発明によれば、十分なスクリーン貼り付け強度を備え、薄型化可能なＬＣＤ固定構造及びこれを用いた筐体構造、携帯端末を提供できる。
【発明を実施するための最良の形態】
【００１２】
図１は、本実施形態に係るＬＣＤ固定構造の分解斜視図である。図２は、本実施形態に係るＬＣＤ固定構造の部分横断面図である。
フロントパーツ１は、四角い環状となっており、フロントパネル３を接合するための固定面２が枠の内側に設けられている。フロントパネル３は板金製であり、絞り加工によって形成されたＬＣＤ収納凹部４を有し、その側壁周囲及び天面５に白色の樹脂を一体成形してＬＣＤフレーム６が形成されている。ＬＣＤフレーム６に収納されるのは、導光板７、光学シート８、ＬＣＤ９などである。
フロントパーツ１とフロントパネル３とを熱接着などによって接合して構成されるフロントケース１１の前面にはスクリーン１０が貼り付けられる。
【００１３】
図３に示すように、フロントケース１１と嵌合するリヤカバー１２を装着することによって、筐体として完成する。この構造の筐体は、図４に示すように携帯電話機や携帯型音楽再生機などの携帯端末に適用可能である。
【００１４】
フロントパネル３は、板金に絞り加工を施すことにより、ＬＣＤ９と略同一形状で若干大きいＬＣＤ収納凹部４が設けられている。ＬＣＤ収納凹部４の側壁周囲とフロントパネル３の天面５とには白色の樹脂を一体成形し、後に貼付するＬＣＤ９と面位置となるように加工することでＬＣＤフレーム６が形成されている。
【００１５】
図２に示すように、白色の樹脂からなるＬＣＤフレーム６は、ＬＣＤ収納凹部４の側壁と略同一位置に段差を有する２段構造であり、下段で囲まれる部分（ＬＣＤ収納凹部４の底が露出している部分）の大きさは導光板７及び光学シート８と略同一であり、上段で囲まれる部分（ＬＣＤ収納凹部４の側壁と略同一位置にある段差で囲まれる部分）の大きさはＬＣＤ９と略同一である。
【００１６】
ＬＣＤフレーム６の下段で囲まれる部分に導光板７及び光学シート８を収納した後、ＬＣＤ９をＬＣＤフレーム６の下段の上面に貼付し、導光板７及び光学シート８を押さえる。
フロントパネル３の天面５の上に位置するＬＣＤフレーム６の上段の上面がフロントケース１１のスクリーン貼付面を兼ねており、そこにスクリーン１０を貼付することでＬＣＤ９が固定され、フロントのユニットが完成する。このフロントのユニットにリヤカバー１２を嵌合することで筐体としての構造が完成する。
【００１７】
ここで、ＬＣＤフレーム６は白色の樹脂が導光板７の側面を囲むように設けられることによって光学特性を向上させる効果が付与されていることに加え、ＬＣＤ９の側面も白色の樹脂が囲んでいることで、落下衝撃時のＬＣＤ端面の金属部への衝突が抑えられ、ＬＣＤ９の破損を防止している。
【００１８】
フロントケース１１に一体成形されたＬＣＤフレーム６がスクリーン貼付面となることで、ＬＣＤ固定構造の薄型化と表示部の狭額縁化とを同時に実現できる。
また、フロントケース１１とＬＣＤフレーム６とが一体となっている構成であるため、フロントケース１１の剛性をＬＣＤフレーム６に直接伝えることができ。ＬＣＤ９の強度確保を実現できる。
さらに、フロントパーツ１と板金製のフロントパネル３とでフロントケース１１を構成しているため、マグネシウムダイカストなどで形成した補強フレームが不要であり、ＬＣＤ固定構造の薄型化を実現できる。
【００１９】
よって、本実施形態に係るＬＣＤ固定構造を用いた筐体や携帯端末も、薄型化と表示部の狭額縁化が可能であることに加え、ＬＣＤを確実に固定できる。
【００２０】
なお、上記実施形態は本発明の好適な実施の一例であり、本発明はこれに限定されることはない。
例えば、上記実施形態においては、ＬＣＤフレームをインサート成形する構成を例としたが、樹脂及びマグネシウムダイカストでＬＣＤ収納凹を有するフロントケースを成型し、ＬＣＤフレームをアウトサート成型しても同様の効果が得られる。
このように、本発明は様々な変形が可能である。
【図面の簡単な説明】
【００２１】
【図１】本発明の好適な実施の形態に係るＬＣＤ固定構造を示す図である。
【図２】ＬＣＤ固定構造の部分横断面図である。
【図３】本発明の好適な実施の形態に係るＬＣＤ固定構造を用いた筐体構造を示す図である。
【図４】本発明の好適な実施の形態に係るＬＣＤ固定構造を用いた筐体構造を適用した携帯端末を示す図である。
【符号の説明】
【００２２】
１    フロントパーツ
２    固定面
３    フロントパネル
４    ＬＣＤ収納部
５    天面
６    ＬＣＤフレーム
７    導光板
８    光学シート
９    ＬＣＤ
１０    スクリーン
１１    フロントケース
１２    リヤカバー
【図１】
2009103966.tif 000003
【図２】
2009103966.tif 000004
【図３】
2009103966.tif 000005
【図４】
2009103966.tif 000006